(57)【要約】      （修正有）【課題】清掃部の操作がし易く、便器の開口部の縁裏に対しても十分に汚れを除去できるトイレ清掃具を提供する。【解決手段】トイレ清掃具１は、把持部２と、この把持部２の先端に取り付ける清掃部３とから構成され、把持部２は直線状の柄部２ａと、この柄部２ａと連結する平面状の平板部２ｂとから構成されている。平板部２ｂの表面中央に対して、柄部２ａが傾いた状態で、柄部２ａの先端が連結している。清掃部３は、弾力性、吸水性を有する弾性シート層３ａと、この弾性シート層３ａの一方の面に貼り合わされた研磨シート層３ｂとから成る。清掃部３が平板部２ｂに接着剤等により固定され、清掃部３の弾性シート層３ａの他方の面を、柄部２ａにより分割される平板部２ｂの表面の一方の表面部２ｇから、平板部２ｂの裏面部２ｈを介して、他方の表面部２ｉまで密着させた状態で固定されている。【選択図】図１
0003208692.tif 000002
【実用新案登録請求の範囲】
【請求項１】
把持部と、該把持部の先端に取り付ける清掃部とから構成され、前記把持部は柄部と、該柄部と連結する平板部とから成り、前記柄部の全体を片手で掴んだ状態で清掃を行うトイレ清掃具であって、
長方形状の前記平板部の長手方向に対して前記柄部が傾いた状態で、前記柄部の先端が前記平板部の表面中央に連結されており、
前記清掃部は前記平板部の全体を覆うようにして取り付けられていることを特徴とするトイレ清掃具。
【請求項２】
前記平板部は裏面中央が張り出すように全体が緩やかに湾曲していることを特徴とする請求項１に記載のトイレ清掃具。
【請求項３】
前記清掃部は弾力性、吸水性を有する弾性シート層と、該弾性シート層の一方の面に貼り合わされた研磨シート層とから構成され、前記研磨シート層が外側になるように配置されていることを特徴とする請求項１又は２に記載のトイレ清掃具。
【請求項４】
前記弾性シート層の他方の面を、前記柄部により分割される前記平板部の表面の一方の表面部から前記平板部の裏面部を介して前記平板部の表面の他方の表面部まで密着させた状態で、前記清掃部が前記平板部に固定されていることを特徴とする請求項３に記載のトイレ清掃具。
【請求項５】
長方形のシート状の前記清掃部の短辺の長さと、前記平板部の短辺の長さは略一致していることを特徴とする請求項１〜４の何れか１項に記載のトイレ清掃具。
【考案の詳細な説明】
【技術分野】
【０００１】
本考案は、便器を清掃するためのトイレ清掃具に関するものである。
【背景技術】
【０００２】
従来の便器の清掃に用いる清掃具として、柄の先端にブラシを植設したトイレブラシや柄の先端に不織布を取り付けた清掃具が知られている。また、特許文献１に開示されたトイレ清掃具のように、正面側に不織布を配置し、背面側にブラシ毛を配置したものもある。
【先行技術文献】
【特許文献】
【０００３】
【特許文献１】実用新案登録第３０５２５６１号公報
【考案の概要】
【考案が解決しようとする課題】
【０００４】
しかし、特許文献１のトイレ清掃具を用いて便器を掃除する際に、便器の開口部の縁裏に対して、トイレ清掃具の不織布又はブラシ毛が届き難いという問題がある。
【０００５】
また、特許文献１のトイレ清掃具のような長い柄部を有するトイレ清掃具では、柄部後端を片手で掴んで便器に対して摺動させる場合に、先端の清掃部の細かな操作が難しく、便器の汚れを十分に除去することができないという問題もある。
【０００６】
本考案の目的は、上述の問題を解消し、清掃部の操作がし易く、便器の開口部の縁裏に対しても容易に汚れを除去できるトイレ清掃具を提供することにある。
【課題を解決するための手段】
【０００７】
上記目的を達成するための本考案に係るトイレ清掃具は、把持部と、該把持部の先端に取り付ける清掃部とから構成され、前記把持部は柄部と、該柄部と連結する平板部とから成り、前記柄部の全体を片手で掴んだ状態で清掃を行うトイレ清掃具であって、長方形状の前記平板部の長手方向に対して前記柄部が傾いた状態で、前記柄部の先端が前記平板部の表面中央に連結されており、前記清掃部は前記平板部の全体を覆うようにして取り付けられていることを特徴とする。
【考案の効果】
【０００８】
本考案に係るトイレ清掃具によれば、柄部の全体を片手で掴むことできる程度に小型のものであるから、清掃部の操作を自在に行うことができる。柄部に対して、斜め方向に清掃部を取り付けることで、便器Ｂ使用個所に応じて持ち方を使い分けることが可能となり、効率的に便器を掃除することができる。特に便器の開口部の縁裏の奥まで無理のない姿勢で、清掃部を摺動させることが可能である。
【図面の簡単な説明】
【０００９】
【図１】トイレ清掃具の斜視図である。
【図２】トイレ清掃具の分解斜視図である。
【図３】トイレ清掃具の側面図である。
【図４】トイレ清掃具で便器の内側壁を清掃する際の説明図である。
【図５】トイレ清掃具で便器の縁裏を清掃する際の説明図である。
【考案を実施するための形態】
【００１０】
本考案を図示の実施例に基づいて詳細に説明する。
図１はトイレ清掃具の斜視図であり、図２は把持部と清掃部とを分解した状態の分解斜視図、図３は側面図である。
【００１１】
トイレ清掃具１は、把持部２と、この把持部２の先端に取り付ける清掃部３とから構成され、その大きさは清掃部３の横幅が３ｃｍ、奥行が１ｃｍ、把持部２の柄部２ａの長さが１０ｃｍ程度である。即ち、柄部２ａは全体を片手で掴むことができる程度の大きさであり、清掃者の手の大きさに応じて、適宜のサイズのトイレ清掃具１とすることができる。
【００１２】
把持部２は硬質の合成樹脂等から成り、直線状の柄部２ａと、この柄部２ａと連結する平面状の平板部２ｂとから構成されている。これらの柄部２ａ及び平板部２ｂは一体成型により製造されている。
【００１３】
柄部２ａは材料費の削減のため、剛性を保つ範囲で図示するように中抜き状にしてもよく、また柄部２ａ及び平板部２ｂは、一体成型以外にも別体の柄部２ａ及び平板部２ｂを結合するようにしてもよい。
【００１４】
長方形状の平板部２ｂは、裏面中央が張り出すように全体が緩やかに湾曲しており、平板部２ｂの両端部２ｃが僅かに上方に持ち上げられるようにすると共に、両端部２ｃは中央に比べて肉厚とされている。
【００１５】
また、平板部２ｂの長手方向に対して柄部２ａが傾いた状態で、柄部２ａの先端は平板部２ｂの表面中央に連結されている。つまり、図３の側面図に示すように、平板部２ｂの長辺２ｄは柄部２ａの延在方向に対して所定角度だけ傾いた状態で、柄部２ａと平板部２ｂとが連結されている。また、柄部２ａの後端には、フック等に引っ掛けることが可能な鉤部２ｅが設けられている。
【００１６】
清掃部３は発泡樹脂等から成り、弾力性、吸水性を有する弾性シート層３ａと、この弾性シート層３ａの一方の面に貼り合わされた研磨シート層３ｂとから成っている。研磨シート層３ｂは耐水性の紙ヤスリ材や、表面に研磨剤を塗布したシート材等を用いることができ、柔軟性を有する清掃部３は自在に平板部２ｂに沿って屈曲させることが可能である。
【００１７】
長方形のシート状の清掃部３の短辺３ｃの長さと、平板部２ｂの短辺２ｆの長さは略一致しており、清掃部３が平板部２ｂに接着剤等により固定されている。清掃部３の弾性シート層３ａの他方の面を、柄部２ａにより分割される平板部２ｂの表面の一方の表面部２ｇから、平板部２ｂの裏面部２ｈを介して、他方の表面部２ｉまで密着させた状態で、清掃部３が平板部２ｂに固定されている。このため、図１に示すように、清掃部３は平板部２ｂ全体を覆うようにして取り付けられており、研磨シート層３ｂが外側に向けて配置されることになる。
【００１８】
トイレ清掃具１を使用する際には、便器Ｂの使用個所において、持ち方を使い分けることになる。便器Ｂの内側壁Ｗを掃除する場合は、図４に示すように、平板部２ｂに対して柄部２ａが広角に連結する側の清掃部３の一方の先端部３ｄを上にした状態で、柄部２ａの全体を片手で掴む。この状態で、便器の内側壁Ｗの曲面に平板部２ｂの柄部２ａ側の研磨シート層３ｂを押し付けて前後左右に摺動させる。
【００１９】
平板部２ｂが緩やかに湾曲しているため、便器Ｂの内側壁Ｗの曲面に沿うように清掃部３が接触し、研磨シート層３ｂの研磨材により便器の内側壁Ｗにこびりついた汚れを、残さずに除去することができる。
【００２０】
便器Ｂの開口部の縁裏Ｆを清掃する際には、図５に示すように、平板部２ｂに対して柄部２ａが狭角に連結する側の清掃部３の他方の先端部３ｅを上にした状態で、柄部２ａの全体を片手で掴む。この状態で、先端部３ｅを縁裏Ｆに押し付けて、引き付けるようにして清掃部３を縁裏Ｆに沿って水平方向に摺動させる。このようにしてトイレ清掃具１を使用することで、自然な角度で縁裏Ｆを掃除することができる。
【００２１】
清掃時に、先端部３ｅの研磨シート層３ｂが縁裏Ｆの奥まで入り込むことで、縁裏Ｆにこびり付いた汚れを簡便に除去することができる。なお、液状の洗剤等を弾性シート層３ａに含浸させた状態で清掃を行うと、汚れをより効果的に除去することが可能である。
【００２２】
掃除が完了した後は、清掃部３を十分に水洗いを行い、水切りをした後に、フック等に鉤部２ｅを引っ掛けて、トイレ清掃具１を保管する。使用によって研磨シート層３ｂが破損したり、研磨効果が低下した場合には、新しいトイレ清掃具１と交換する。
【００２３】
このように、トイレ清掃具１は柄部２ａの全体を片手で掴める程度の大きさであるため、清掃対象物への細かな操作が可能であると共に、従来のトイレ清掃具に比べて小型であるため、材料費も安価で済む。
【００２４】
また、柄部２ａに対して、斜め方向に清掃部３を取り付けることで、便器Ｂの使用個所に応じてトイレ清掃具１の持ち方を使い分けることが可能となり、効率的に便器Ｂを掃除することができる。
【００２５】
特に便器Ｂの開口部の縁裏Ｆの奥まで無理のない姿勢で、清掃部３を摺動させることができ、トイレ清掃具１を用いれば直線状の清掃具では、便器の縁裏の奥等の届き難い場所であっても、清掃が可能である。
【符号の説明】
【００２６】
１  トイレ清掃具
２  把持部
２ａ  柄部
２ｂ  平板部
２ｆ、３ｃ  短辺
２ｇ、２ｉ  表面部
２ｈ  裏面部
３  清掃部
３ａ  弾性シート層
３ｂ  研磨シート層
Ｂ  便器
Ｆ  縁裏
Ｗ  内側壁
【図１】
0003208692.tif 000003
【図２】
0003208692.tif 000004
【図３】
0003208692.tif 000005
【図４】
0003208692.tif 000006
【図５】
0003208692.tif 000007